(57)【特許請求の範囲】
【請求項１】
デスクの背面側に、該デスクと同じ高さで内部に上下２層構造の通線用空間が区画されるケーブルダクトを一体に固着し、左右の各側面に前記上下２層の通線用空間にそれぞれ通じる通線口を開口するとともに、前記ケーブルダクトの上下側面並びに前記上下の各通線用空間を仕切る上棚板に通線口を形成し、該ケーブルダクトの背面板に前記上下２層の各通線用空間にそれぞれ通じデスクの幅と略同長のスリット状の通線口を上下に２つ開設したことを特徴とするケーブルダクトを備えたデスク。
【請求項２】
前記ケーブルダクトの前面側に幕板をデスクの手前側から着脱自在とした請求項１記載のケーブルダクトを備えたデスク。
【発明の詳細な説明】
【０００１】
【発明の属する技術分野】
本発明は、デスクにＯＡ機器類を載置した際に機器類のケーブル等を通線することを可能としたケーブルダクトを備えたデスクに関する。
【０００２】
【従来の技術】
従来、オフィスにおいて使用するデスクを配置する順序として、最初にオフィスの所定位置にデスクを配列し、つぎに電源コンセント等のオフィスワークにおけるインフラ設備をデスク毎に配置して、最後にデスク天板上や、デスク下肢空間にＯＡ機器を配置する方法が一般に行われている。
【０００３】
一方、最近の傾向として個人別の領域の明確化と、個人の集中力の向上を目的として、デスクトップパネルと呼ばれるパーティションをデスク天板上に装着するケースが増えている。
【０００４】
【発明が解決しようとする課題】
しかして最近の通信やネットワークの発達により他のＯＡ機器との接続が可能となり、様々な情報の共有化を図るためにＯＡ機器同士が互いに接続され、以前よりも非常に多くのケーブルがデスク天板上やデスク下肢空間のＯＡ機器に接続されるようになり、これらケーブルがデスク天板上やデスクトップパネル上を無秩序に通るため、美観上からも好ましくないばかりでなく、ケーブルが混線している関係で断線する場合やＯＡ機器に誤動作を起こすといった問題も生じてきている。
【０００５】
【課題を解決するための手段】
本発明は、上記の現状に鑑み、ＯＡ機器等をデスク天板上に配置するようなレイアウトの際、ＯＡ機器のケーブルは天板上に出さず、しかも一度設置したデスク自体を動かすことなく接続を可能としたケーブルダクトを備えたデスクを提供することを課題としたもので、その解決手段としてはデスク天板の手前から奥の背面側に天板の横幅と等しい長さを有するケーブルダクトを備えて通線を容易にしたことにある。
【０００６】
すなわち、請求項１に記載の発明は、デスクの背面側に、該デスクと同じ高さで内部に上下２層構造の通線用空間が区画されるケーブルダクトを一体に固着し、左右の各側面に前記上下２層の通線用空間にそれぞれ通じる通線口を開口するとともに、前記ケーブルダクトの上下側面並びに前記上下の各通線用空間を仕切る上棚板に通線口を形成し、該ケーブルダクトの背面板に前記上下２層の各通線用空間にそれぞれ通じデスクの幅と略同長のスリット状の通線口を上下に２つ開設したことを特徴とする。また請求項２は請求項１記載の発明において、前記ケーブルダクトの前面側に幕板をデスクの手前側から着脱自在としたことを特徴とする。
【０００７】
【発明の実施の形態】
以下、本発明を図面に示す実施の形態を参照して説明する。
図１は本発明にかかるケーブルダクトを備えたデスク１を示し、（Ａ）は平面図、（Ｂ）は（Ａ）の側面図、（Ｃ）は背面図である。なお、本発明では図１（Ａ）および（Ｂ）におけるデスク１において使用者と向き合う左側を前部とし反対側の右側を後部と称して以下を説明する。
【０００８】
図１に示すデスク１は前後に脚２ａ，２ａをそれぞれ備えた左右の側板２，２と、これら側板２，２の上部間に設けられた天板３と、左右の側板２，２の後部に固着されたケーブルダクト４とで構成されている。
【０００９】
そしてケーブルダクト４の後部にある背面板５にはデスク１の幅方向にある側板２の厚みを除くとほぼデスク幅と等しい長さのスリット状の通線口６が上下に設けられている。
【００１０】
図２は図１のケーブルダクト４を構成する部品を分解して示す斜視図であり、左右の側板２，２の後部にはそれぞれ縦部材７，７が固着され、この縦部材７，７は前記背面板５により連結されている。上記縦部材７，７には下側に角穴状の通線口７ａが、上側には切欠き状の通線口７ｂがそれぞれ形成されている。
【００１１】
この通線口７ａ，７ｂの中心はそれぞれ前記通線口６，６の中心とほぼ同じ高さとなっている。
【００１２】
前記両側板２，２の内側後端部には、その高さ方向の中間において四角形状に形成された枠部材８が連結されており、この枠部材８の下側と背面板５との間には長手方向（デスクの幅方向）に下棚板９が前記通線口７ａの下側に近接した位置に水平状態に着脱自在に載置されている。そしてこの下棚板９には上下方向に通ずる角穴状の通線口９ａが左右に設けられている。
【００１３】
また前記枠部材８の上側と背面板５との間には長手方向（デスクの幅方向）に１乃至複数個（図では３個に分割）の上棚板１０が水平状態に着脱自在に載置されていて、両側の上棚板１０には上下方向に通ずる角穴状の通線口１０ａがそれぞれ設けられている。
【００１４】
さらに枠部材８の枠をなす上側の上面および下側の上面には左右にそれぞれフック孔１１，１１，…が形成されており、この孔１１には枠部材８の手前に設けられる幕板１２の背面のフック１２ａ，１２ａが係合して取付けることによりこの幕板１２により前記ケーブルダクト４の内部が隠蔽されるようになっている。前記縦部材７，７の上面間には背面板５に接して長手方向に１乃至複数個（図では３個に分割）の上面板１３が水平状態に載置され、左右の上面板１３には角穴状の通線口１３ａが穿設され、この通線口１３ａにはカバー１４が着脱自在に設けられている。
【００１５】
また縦部材７，７の外側には背面板５の端部を含んでケーブルダクト４内をカバーする外カバー１５が設けられ、この外カバー１５の上下には内外に通ずる角穴状の通線口１５ａが設けられている。そして通線口１５ａは不使用時にはスライドにより閉鎖することができる小カバー１５ｂを備えている。
前記背面板５の幅方向の上下に設けられたスリット状の通線口６，６には、不使用時に押し込みによりデスク１の内側から閉鎖する横カバー１６が取り外し可能に設けられている。したがって背面が露呈するようなデスク配置の場合でも、上記横カバー１６を取り付けておくことにより美観を損うことがない。図中、１７は外カバー１５の上部を遮蔽するカバーである。
【００１６】
図３は図１の正面図、図４は図３のＡ−Ａ断面図、図５は図４のＢ−Ｂ断面図、図６は図４のＣ−Ｃ断面図で、図４、図５、図６は図２の部品を組立てた場合の位置関係を示したものである。すなわち図４において幕板１２の背面には枠部材８のフック孔１１に係合するフック１２ａが上下左右に設けられている。したがって幕板１２を枠部材８に取付けるにはデスク１の天板３の下に潜り幕板１２を少し持ち上げ、枠部材８の上下左右のフック孔１１に幕板１２のフック１２ａを落とし込むように係合させたのち幕板１２を下げることて取付けが完了する。なお幕板１２を取外す場合はこの逆の動作を行えばよい。
【００１７】
また横カバー１６を通線口６に取り付けるには、図４に示した上下の位置から矢印のように水平方向に移動させることにより行える。
【００１８】
図７は図４に幕板１２および横カバー１６が取付いた状態を示す断面図で、幕板１２および背面板５により囲まれた空間がケーブルダクト４となっている。
【００１９】
図８は本発明による６個のデスク１を対向および隣合いに配置した場合におけるケーブルダクト４の状態を示したもので、詳しくは図９に配線の状態を説明するためそれぞれのデスク１，１間を離間させてみた場合に明らかなようにケーブルダクト４を通したケーブルは矢印のように縦横に種々の形に連結することが可能となる。
【００２０】
例えば図９に示すデスク１ａ，１ｂを隣り合うように配列した場合は、各デスク１に置かれるＯＡ機器のケーブル１８を通線口１５ａ，１５ａを通して配線することができるし、あるいはデスク１ｂと１ｃとを対向する方向に配置した場合にはケーブルダクト４の背面板５に設けられたスリット状の通線口６から横カバー１６を取外すことによって幅方向の任意の位置から配線することが可能となる。
【００２１】
またデスク１を対向する方向に配置したデスク１ｂ，１ｃに対して直角方向にデスク１ｄを配置した場合には、デスク１ｄ、１ｃの通線口１５ａ，１５ａとデスク１ｄのスリット状の通線口６を通して配線することができる。
【００２２】
図中１９はデスクトップパネルである。
図１０は対向配置されたデスク１ｂ，１ｃのケーブルダクト４，４部分を示した断面図で、紙面の奥に位置するのは直角方向に配置されたデスク１ｄの上に置かれたデスクトップパネル１９である。この場合ケーブルダクト４，４の双方の背面板５，５が背中合わせに重なって対称的配置となるので、各ケーブル１８は矢印で示すようにそれぞれの通線口を通して（カバーのある場合はこれを取り外して）各方向への配線が自由に行える。したがってケーブル１８は外部からは見え難いデスク１内の空間内に通線することができる。
【００２３】
図１１（Ａ）〜（Ｅ）はデスクの配置例を示すもので、これらの図において符号２０は椅子を表示し、デスクに対する座る人の向きを示しており、また矢印は通線方向を示している。
【００２４】
図１１（Ａ）は、同じ横幅の４台のデスク１Ａ，１Ａ…を２台ずつ向き合わせて配置し、その列の一端に上記デスク１Ａ，１Ａの奥行きを合わせた長さの横幅を有するデスク１Ｂを配置した場合であり、この場合のケーブルはケーブルダクト４内を通して各デスク１Ａ，１Ｂへ通線し、向き合うデスク１Ａ，１Ａおよび１Ｂへはスリット状の通線口６か引出してＯＡ機器に導かれる。
【００２５】
図１１（Ｂ）は、同じ横幅の３台のデスク１Ａ，１Ａ，１Ａを横並び状に配置し、このデスク１Ａの横幅の１．５倍の長さの横幅を有する２台のデスク１Ｃ，１Ｃを向かい合わせに配置した場合であり、この場合のケーブルもケーブルダクト４内を通して配線するとともに各デスクへはスリット状の通線口６の任意の位置から引出してデスク上のＯＡ機器へ導くことができる。
【００２６】
図１１（Ｃ）は、同じ横幅の４台のデスク１Ａ，１Ａ…を２台ずつ向き合わせて配置し、その列の両端に他のデスク１Ｄ，Ｄを２台ずつ並べて配置した場合であり、この場合もケーブルダクト４内を通してケーブルを通し、各デスクへはスリット状の通線口６の任意の位置からＯＡ機器へ導くことができる。
【００２７】
図１１（Ｄ）は、上記のデスク１Ｄ，１ＤはＯＡ機器用として使用するようにした配置例で、デスク１Ａ，１Ａ…に向かって座る人がそれぞれ使用するが、この場合にはデスク１Ｄ，１Ｄのケーブルダクト４は外側位置として置かれる。
【００２８】
さらに図１１（Ｅ）は、上記デスク１Ｄ，１Ｄをデスク１Ａ，１Ａ…の隣り合う間の位置に配置した例である。
【００２９】
なおケーブルダクト４内を２層構造として、強電系・弱電系を完全に分離するようにすることができ、このようにすればＯＡ機器等のケーブルの配線に基づいて生ずる誤動作を未然に防止することができる。
【００３０】
【発明の効果】
本発明は以上説明したように構成したから、つぎのような効果が得られる。
【００３１】
１）幕板をデスクの下から手前側に容易に取り外せるので、デスクを対向配置したのちであっても配線を行うことができる。
【００３２】
２）複数のデスクをどのように配置しても、ケーブルダクト内の上下２層の通線用空間のそれぞれについてケーブルを配線することができることになるので、ケーブルの増設、メンテナンス、その他ケーブルの接続・分離等をデスクを移動させることなく容易に行うことができる。
【００３３】
３）ケーブルはケーブルダクトの上面に設けた通線口を通す以外は上面に露出することがないので、外観上美観を損なうような不具合を生じることがない。
【図面の簡単な説明】
【図１】本発明にかかるケーブルダクトを備えたデスクを示し、（Ａ）は平面図、（Ｂ）は（Ａ）の側面図、（Ｃ）は背面図。
【図２】図１のケーブルダクトの構成部品を分解して示す斜視図。
【図３】図１の正面図。
【図４】図３のＡ−Ａ断面図。
【図５】図４のＢ−Ｂ断面図。
【図６】図４のＣ−Ｃ断面図。
【図７】図４に幕板および横カバーが取付いた状態を示す側面の断面図。
【図８】本発明のデスク６個を対向および隣合いに配置した場合を示す斜視図。
【図９】図８の分解斜視図。
【図１０】本発明のデスクを対向配置した場合の各ケーブルダクトを示す断面図。
【図１１】（Ａ）〜（Ｅ）はデスクの配置例を示す説明図。
【符号の説明】
１  デスク
２  側板
４  ケーブルダクト
５  背面板
６  通線口
８  枠部材
１１  フック孔
１２  幕板
１２ａ  フック
【図１】
0003759267.tif 000002
【図２】
0003759267.tif 000003
【図３】
0003759267.tif 000004
【図４】
0003759267.tif 000005
【図５】
0003759267.tif 000006
【図６】
0003759267.tif 000007
【図７】
0003759267.tif 000008
【図８】
0003759267.tif 000009
【図９】
0003759267.tif 000010
【図１０】
0003759267.tif 000011
【図１１】
0003759267.tif 000012